(57)【要約】【課題】異なる電圧を出力可能な負荷側端子を複数備えてなる場合に、誤接続を防ぐ。【解決手段】ケース２の上面に電路を開閉する操作ハンドル３を設け、ケース２の正面に電源側端子４を、背面に負荷側端子５を配置して回路遮断器１を構成する。ケース２を、左右側面をそれぞれ含むように他の４面を中心線に沿って縦方向に左右に２分割してなる一対の分割体２０，２１から構成する。封印カバー８を、負荷側端子５の端子孔１５に挿入される挿入部１０と、その挿入部１０に連設され端子孔１５に対して挿入部１０が所定深さ以上に挿入されないように阻止するストッパ部１１とを備えて構成する。ケース２の正面の長手両端部に、ストッパ部１１の両側長辺端部を外側から押さえるように係止する断面逆Ｌ字状に形成された係止部１２を設ける。【選択図】図１
2007287583.tif 000002
【特許請求の範囲】
【請求項１】
ケースの上面に設けた電路を開閉する操作ハンドル、一方の面に設けた複数の電源側端子、及び他方の面に設けた複数の負荷側端子を備え、それぞれの負荷側端子が電線を差し込む端子孔の奥方に電線を接続する速結端子を有してなる回路遮断器であって、
選択した負荷側端子を被覆する封印カバーを備え、
封印カバーは、端子孔に挿入される挿入部と、その挿入部に連設され端子孔に対して挿入部が所定深さ以上に挿入されないように阻止するストッパ部と、を有してなり、
負荷側端子を設けた他方の面に、ストッパ部を係止して挿入部を抜け止めする係止部を設けてなる、
ことを特徴とする回路遮断器。
【請求項２】
ケースは、左右に分割される一対の分割体からなり、
少なくとも一方の分割体に係止部を設け、
ケースを組み立てた際に、係止部でストッパ部を係止してなる、
請求項１に記載の回路遮断器。
【請求項３】
負荷側端子は、三つ設けられ、
三つのうち選択した一つの負荷側端子を封印カバーで被覆し、残った二つの負荷側端子に電線を接続してなる、
請求項１または２に記載の回路遮断器。
【発明の詳細な説明】
【技術分野】
【０００１】
本発明は、ケース上面には電路を開閉する操作ハンドルを有し、ケースの一方の面には電源側端子を、他方の面には負荷側端子を設けてなり、電路に異常電流が流れた際に電路を遮断する回路遮断器に関する。
【背景技術】
【０００２】
従来、単相三線等の電源から異なる電圧を取り出し可能となるように、複数本の銅バーで構成された電路に対して接続される回路遮断器としては、特許文献１〜４に記載されたものが知られている。これら特許文献１〜４の回路遮断器は、ケースの一方面に設けられた電源側の差込型端子が接続対象となる複数本の銅バーに接続され、他方面に設けられた負荷側のねじ端子や速結端子が負荷電線に接続されるように構成されている。また、例えば単相三線電源の場合に電路から取り出される１００Ｖ／２００Ｖの電圧切り替えは、これらの回路遮断器を分電盤に取り付ける際、取付担当者が個々の回路遮断器に設けられた差込型端子の切替手段を操作することによって行うように構成されている。
【０００３】
しかし、特許文献１〜４の技術は、回路遮断器の内部に切替手段を設けてなるため、外形寸法が大型化し内部構造が複雑になる点で問題があった。また、電圧切替の際には、切替対象となる回路遮断器を取り外してケースを開け、切替作業を行わなくてはならないため、作業性が悪く面倒である点で問題があった。
【０００４】
そこで、上記問題を解決するため、特許文献１〜４の切替手段に相当する構成を省くことができる回路遮断器が案出されている。これは、例えば単相三線の電源に接続される場合において、３本の銅バーに接続された電源側端子を介して１００Ｖ／２００Ｖの異なる電圧を出力可能となるように、予め負荷側端子を３つ設けて構成されている。この回路遮断器によれば、切替手段を省くことで、外形寸法の小型化及び内部構造の簡素化が可能である。
【０００５】
【特許文献１】特開２００３−２０８８４３号公報
【特許文献２】特開２００３−２１７４３２号公報
【特許文献３】特開２００４−０８７２４０号公報
【特許文献４】特開２００６−０３２３１９号公報
【発明の開示】
【発明が解決しようとする課題】
【０００６】
しかし、この回路遮断器は、異なる電圧を出力可能な負荷側端子を複数備えてなるため、誤接続がおこる可能性が高い点で問題があった。
【０００７】
したがって、本発明では上記課題を鑑み、異なる電圧を出力可能な負荷側端子を複数備えてなる場合であっても、誤接続を防ぐことができる回路遮断器の提供を課題とする。
【課題を解決するための手段】
【０００８】
上記課題を解決するため、請求項１の発明に係る回路遮断器は、ケースの上面に設けた電路を開閉する操作ハンドル、一方の面に設けた複数の電源側端子、及び他方の面に設けた複数の負荷側端子を備え、それぞれの負荷側端子が電線を差し込む端子孔の奥方に電線を接続する速結端子を有してなる回路遮断器であって、選択した負荷側端子を被覆する封印カバーを備え、封印カバーは、端子孔に挿入される挿入部と、その挿入部に連設され端子孔に対して挿入部が所定深さ以上に挿入されないように阻止するストッパ部と、を有してなり、負荷側端子を設けた他方の面に、ストッパ部を係止して挿入部を抜け止めする係止部を設けてなるように構成される。
【０００９】
請求項２の発明に係る回路遮断器は、ケースが、左右に分割される一対の分割体からなり、少なくとも一方の分割体に係止部を設け、ケースを組み立てた際に、係止部でストッパ部を係止してなるように構成される。
【００１０】
請求項３の発明に係る回路遮断器は、負荷側端子が、三つ設けられ、三つのうち選択した一つの負荷側端子を封印カバーで被覆し、残った二つの負荷側端子に電線を接続してなるように構成される。
【発明の効果】
【００１１】
請求項１〜３の発明によれば、異なる電圧を出力可能な負荷側端子を複数備えてなる場合であっても、予め使用しない負荷側端子を封印カバーで被覆して、誤接続を防ぎ、適切な電圧を出力する負荷側端子に電線を接続できる。また、封印カバーのストッパ部を係止部で係止したので、回路遮断器がどんな角度の壁面に取り付けられたとしても封印カバーは脱落することなく、選択した負荷側端子を封印カバーで確実に被覆できる。また、ケースの外側に封印カバーを取り付けるので、回路遮断器を分電盤から取り外すことなく電圧切替作業を行うことができ、作業性を向上させることができる。また、従来のような電圧の切替手段を省いたので、回路遮断器の外径寸法を小型化できる。また、銅バーの配置寸法に合わせて電源側端子の配置を標準化すれば、電圧の異なるものでも共用化できる。
【００１２】
特に、請求項２の発明によれば、ケースを組み立てた際に、ストッパ部を一対の分割体に設けた係止部で係止して選択した負荷側端子を被覆するので、組み立てた状態であれば、封印カバーが脱落する可能性を無くすことが可能となる。このように、回路遮断器を分電盤に組み付ける際には、選択した負荷側端子は封印カバーで確実に被覆されているので、誤接続をさらに高い確率で防止できる。
【発明を実施するための最良の形態】
【００１３】
以下、本発明を具体化した実施の形態を、図面に基づいて詳細に説明する。図１は本発明に係る回路遮断器の一実施形態を示す（ａ）は側面図、（ｂ）は正面図、（ｃ）はＡ−Ａ線端面図であり、図２は分解斜視図である。本回路遮断器１は、ケース２の上面に電路を開閉する操作ハンドル３を設け、ケース２の正面に電源側端子４を、対向する背面には負荷側端子５を配置して構成されている。ケース２は、左右側面をそれぞれ含むように他の４面を中心線に沿って縦方向に左右に２分割してなる一対の分割体２０，２１からなり、一対の分割体２０，２１を組み立てて構成されている。
【００１４】
この回路遮断器１は単相三線式の電路に使用可能であり、電源側端子４及び負荷側端子５は、それぞれＮ極端子、Ｌ１極端子、Ｌ２極端子の三つずつ端子が設けられている。それぞれの負荷側端子５は、正面の長手に沿って一列に配置され、電線を端子孔１５に差し込むと奥方に設けられた速結ばね７により電線が固定されるように、いわゆる速結端子で構成されている。またそれぞれの電源側端子４は、配電盤に配置された３枚の銅バー（図示略）をそれぞれ対応する受刃１６が同時に挟み込むように構成されている。
【００１５】
負荷側端子５の中央の端子は、Ｎ極端子５ａであり、このＮ極端子５ａを挟んで上側にはＬ１極端子５ｂ、下側にはＬ２極端子５ｃが配置されている。また、選択した負荷側端子５であるＬ１極端子５ｂには封印カバー８が被覆されている。
【００１６】
図３に示すように、封印カバー８は、負荷側端子５の端子孔１５に挿入される挿入部１０と、その挿入部１０に連設され端子孔１５に対して挿入部１０が所定深さ以上に、すなわち速結ばね７に接触する位置まで挿入されないように阻止するストッパ部１１とを備えて構成されている。挿入部１０は、円柱形孔状に形成された端子孔１５に差し込み可能な径の円筒形状に形成されている。また、ストッパ部１１は、選択した負荷側端子５の端子孔１５に挿入部１０を挿入した状態で、ケース２の正面の短手幅よりも短い短辺と、正面からはみ出さずに隣接する他の負荷側端子５を被覆しない長さの長辺とからなる長方形板状に形成されている。またケース２の正面の長手両端部には、ストッパ部１１の両側長辺端部を外側から押さえるように係止する断面逆Ｌ字状に形成された係止部１２が設けられている。
【００１７】
また封印カバー８は、一対の分割体２０，２１を合わせてケース２を組み立てる際に、化粧プレート９を所定位置に配置した状態で、選択した負荷側端子５（図１の場合、Ｌ１極端子５ｂ）の端子孔１５に挿入部１０を挿入するとともに、ストッパ部１１の両側長辺端部を各分割体２０，２１の正面に設けられた各係止部１２で左右両側から係止することによって、選択した負荷側端子５を被覆する。
【００１８】
１００Ｖの電圧を選択する場合には、図１（ａ）、図４（ａ）に示すように、封印カバー８で上側のＬ１極端子５ｂまたは下側のＬ２極端子５ｃを被覆し、中央のＮ極端子５ａと封印カバー８で被覆されていないＬ１極端子５ｂまたはＬ２極端子５ｃに各電線を接続する。また２００Ｖへの電圧の切り替えは、図４（ｂ）に示すように、中央のＮ極端子５ａを封印カバー８で被覆し、上下のＬ１極端子５ｂ及びＬ２極端子５ｃに各電線を接続する。
【００１９】
上記回路遮断器１によれば、異なる２種類の電圧を出力可能な負荷側端子５を三つ備えてなる場合であっても、予め使用しない負荷側端子５を封印カバー８で被覆して、誤接続を防ぎ、適切な電圧を出力する負荷側端子５に電線を接続できる。また、封印カバー８のストッパ部１１を係止部１２で係止したので、回路遮断器１がどんな角度の壁面に取り付けられたとしても封印カバー８は脱落することなく、選択した負荷側端子５を封印カバー８で確実に被覆できる。また、ケース２の外側に封印カバー８を取り付けるので、回路遮断器１を分電盤から取り外すことなく電圧切替作業を行うことができ、作業性を向上させることができる。また従来のような電圧の切替手段を省いたので、回路遮断器１の外形寸法を小型化できる。また、銅バーの配置寸法に合わせて電源側端子４の配置を標準化すれば、電圧の異なるものでも共用化できる。
【００２０】
また、ケース２を組み立てた際に、ストッパ部１１を一対の分割体２０，２１に設けた係止部１２で左右から係止して選択した負荷側端子５を被覆するので、組み立てた状態であれば、封印カバー８が脱落する可能性を無くすことが可能となる。このように、回路遮断器１を分電盤に組み付ける際には、選択した負荷側端子５は封印カバー８で確実に被覆されているので、誤接続をさらに高い確率で防止できる。
【００２１】
尚、本発明は上記実施形態に限定されるものではなく、以下列挙するように、本発明の趣旨を逸脱しない範囲で各部の形状並びに構成を適宜に変更して実施することも可能である。
（１）封印カバーの挿入部は、円筒形状に限らず、三角柱等の多角柱や、ストッパ部から端子孔の奥方へ突設させた片状体でも良い。
（２）封印カバーのストッパ部は、長方形状に限らず、係止部に係止可能な形状であれば良く、円形や楕円形はもちろん、挿入部の全周のうちの一部から係止部へ突設させた片状や突起状体でも良い。
（３）負荷側端子は、三つに限らず、異なる出力電圧に合わせて複数設けることが可能である。その場合、選択した負荷側端子は複数であっても良く、それぞれを封印カバーで被覆することが望ましい。
（４）係止部は、負荷側端子を設けた面の長手両端部に設けることに限らず、ストッパ部を係止可能な位置であれば良く、一方の片端部に設けたり、端子孔の近傍にのみ設けても良い。
（５）係止部は、左右の分割体の両方に限らず、いずれか一方に設けても良い。
（６）電源側端子は、背面に限らず、底面に設けて構成することも可能である。
【図面の簡単な説明】
【００２２】
【図１】本発明に係る回路遮断器の一実施形態を示す（ａ）は側面図、（ｂ）は正面図、（ｃ）はＡ−Ａ線端面図である。
【図２】図１の回路遮断器の分解斜視図である。
【図３】封印カバーの拡大斜視図である。
【図４】封印カバーの被覆状態を示し、（ａ）は１００Ｖ電圧選択時の説明図、（ｂ）は２００Ｖ電圧選択時の説明図である。
【符号の説明】
【００２３】
１・・回路遮断器、２・・ケース、３・・操作ハンドル、４・・電源側端子、５・・負荷側端子、７・・速結ばね、８・・封印カバー、９・・化粧パネル、１０・・挿入部、１１・・ストッパ部、１２・・係止部、１５・・端子孔、１６・・受刃、２０・・左分割体、２１・・右分割体、５ａ・・Ｎ極端子、５ｂ・・Ｌ１極端子、５ｃ・・Ｌ２極端子。
【図１】
2007287583.tif 000003
【図２】
2007287583.tif 000004
【図３】
2007287583.tif 000005
【図４】
2007287583.tif 000006